(57)【要約】【課題】床スラブ等の施工時の作業性に優れ、施工後にデッキプレートを容易に取り外すこと。【解決手段】デッキプレートユニット（１）は、平坦なフランジ部（１１）を有するデッキプレート（１０）と、一端がデッキプレート（１０）のフランジ部（１１）に接続され、他端が他の部材（Ｂ，２００）に接続される継手部材（２０）と、を有する。【選択図】図１
2020159155.tif 000002
【特許請求の範囲】
【請求項１】
平坦なフランジ部を有するデッキプレートと、
一端が前記デッキプレートのフランジ部に接続され、他端が他の部材に接続される継手部材と、
を有することを特徴とするデッキプレートユニット。
【請求項２】
前記継手部材は、前記デッキプレートのフランジ部の上方に配置された状態で、前記デッキプレートのフランジ部に接続されていることを特徴とする請求項１に記載のデッキプレートユニット。
【請求項３】
前記デッキプレートのフランジ部と前記継手部材は、連結具を挿通させる挿通孔を有しており、
前記継手部材は、前記挿通孔に挿通される連結具を介して、前記デッキプレートのフランジ部に接続されていることを特徴とする請求項１又は２に記載のデッキプレートユニット。
【請求項４】
前記デッキプレートのフランジ部が有する挿通孔と、前記継手部材が有する挿通孔の少なくともいずれかは前記デッキプレートのフランジ部の長手方向に沿って延びる長孔形状を有することを特徴とする請求項３に記載のデッキプレートユニット。
【請求項５】
一端が前記デッキプレートのフランジ部に接続され、他端が前記継手部材に接続される調整部材を更に有し、
前記継手部材は、前記調整部材を介して、前記デッキプレートのフランジ部に接続されていることを特徴とする請求項１から４までのいずれか一項に記載のデッキプレートユニット。
【請求項６】
前記他の部材は、構造物の梁又は当該梁を構築する型枠に固定されていることを特徴とする請求項１から５までのいずれか一項に記載のデッキプレートユニット。
【請求項７】
前記他の部材は、平坦なフランジ部を有する第２デッキプレートであり、
前記継手部材は、前記他端において、前記第２デッキプレートのフランジ部に接続されていることを特徴とする請求項１から５までのいずれか一項に記載のデッキプレートユニット。
【請求項８】
前記デッキプレートのフランジ部と前記第２デッキプレートのフランジ部の下方に配置された状態で、一端が前記デッキプレートのフランジ部に接続され、他端が前記第２デッキプレートのフランジ部に接続される継手補助部材を更に有し、
前記継手部材は、前記継手補助部材と対応する位置において、前記デッキプレートのフランジ部と前記第２デッキプレートのフランジ部とに接続されていることを特徴とする請求項７に記載のデッキプレートユニット。
【請求項９】
前記継手部材は、本体部から立設する一対の脚部と、該脚部間を繋ぐ橋部と、を備えるスペーサを有することを特徴とする請求項１から８までのいずれか一項に記載のデッキプレートユニット。
【請求項１０】
前記継手部材は、前記スペーサを複数有し、
前記継手部材は、前記複数のスペーサ間を繋ぐ補強部を更に有することを特徴とする請求項９に記載のデッキプレートユニット。
【請求項１１】
デッキプレートと支持梁とを接続するとともに、床スラブの一部を構成するコンクリートに埋設される継手部材において、
本体部と、
前記本体部に形成され、前記デッキプレートと接続される第１接続部と、
前記支持梁と接続される第２接続部と、
を有することを特徴とする継手部材。
【請求項１２】
前記本体部から立設する一対の脚部と、該脚部間を繋ぐ橋部と、を備えるスペーサを更に有することを特徴とする請求項１１に記載の継手部材。
【請求項１３】
平坦なフランジ部を有するデッキプレートを他の部材に接続するデッキプレートの接続方法において、
前記デッキプレートの上方に継手部材を配置した状態において、前記継手部材の一端と前記デッキプレートのフランジ部とを接続する工程と、
前記継手部材の他端と前記他の部材とを接続する工程と、
を有することを特徴とするデッキプレートの接続方法。
【請求項１４】
平坦なフランジ部を有するデッキプレートを支持梁に固定し、前記デッキプレート上にコンクリートを打設する床スラブの施工方法において、
前記デッキプレートの上方に継手部材を配置した状態において、前記継手部材の一端と前記デッキプレートのフランジ部とを接続する工程と、
前記継手部材の他端を前記支持梁に接続する工程と、
前記継手部材と前記デッキプレートの上にコンクリートを打設する工程と、
前記コンクリートが固化した状態において、前記継手部材と前記デッキプレートのフランジ部との接続を解除して前記デッキプレートを取り外す工程と、
を有することを特徴とする床スラブの施工方法。
【発明の詳細な説明】
【技術分野】
【０００１】
本発明は、デッキプレートユニット、継手部材、デッキプレートの接続方法および床スラブの施工方法に関する。
【背景技術】
【０００２】
建築物の床や天井等を構成するコンクリート製スラブを施工する建設現場において、コンクリート構造部の型枠として使用するフラット型のデッキプレートが知られている。鉄骨梁にフラット型のデッキプレートを設置する際には、鉄骨梁の上面にデッキプレートを溶接によって固定する。また、鉄筋コンクリート梁にフラット型のデッキプレートを設置する際には、コンクリートの型枠にデッキプレートを載置、固定するとともに、デッキプレートの端部を型枠に囲まれた内部まで突き出すように設置し、鉄筋コンクリート梁との一体化を図っている。デッキプレートの設置後、デッキプレート上にコンクリートが打設されることによってスラブが形成される。このような施工方法では、デッキプレートは固化したコンクリートと一体化するため、施工後にデッキプレートを取り外すことができず再利用が困難という問題があった。
【０００３】
上記の問題を解消する方法として、例えば、施工時にデッキプレートを下方から圧接状態で支持し、施工後に支持を解除してデッキプレートを取り外し可能な状態とする型枠支持具が知られている（例えば、特許文献１参照）。また、別の方法として、例えば、スライド機構を有するデッキプレートを採用し、デッキプレートを支持梁に接続する位置を調整することにより、施工後にデッキプレートを取り外すことができる型枠材が知られている（例えば、特許文献２参照）。
【先行技術文献】
【特許文献】
【０００４】
【特許文献１】特開２０１５−１０５５５２号公報
【特許文献２】特開２００４−２５７２２８号公報
【発明の概要】
【発明が解決しようとする課題】
【０００５】
しかし、上記特許文献１のような方法では、デッキプレートを固定するために支持具を用いる必要があり、施工作業において過度の手間が生じ得る。また上記特許文献２のような方法では、スライド機構をもったデッキプレートを用意する必要があり、デッキプレートが高重量化することで施工作業の妨げとなる。また、デッキプレートを支持梁へ接続する際に、施工後にデッキプレートを取り外し可能とするために、支持梁との位置合わせが重要な作業となるため、施工時の作業性を低下させてしまう課題があった。
【０００６】
そこで、本発明は、上記課題に鑑みてなされたものであり、施工時の作業性に優れ、施工後にデッキプレートを取り外し可能なデッキプレートユニットを提供することを目的とする。
【課題を解決するための手段】
【０００７】
上記課題を解決するため、本発明に係る第１の態様は、平坦なフランジ部を有するデッキプレートと、一端が前記デッキプレートのフランジ部に接続され、他端が他の部材に接続される継手部材とを有する。
【０００８】
また、前記継手部材は、前記デッキプレートのフランジ部の上方に配置された状態で、前記デッキプレートのフランジ部に接続されていることが好ましい。
【０００９】
また、前記デッキプレートのフランジ部と前記継手部材は、連結具を挿通させる挿通孔を有しており、前記継手部材は、前記挿通孔に挿通される連結具を介して、前記デッキプレートのフランジ部に接続されていることが好ましい。
【００１０】
また、前記デッキプレートのフランジ部が有する挿通孔と、前記継手部材が有する挿通孔の少なくともいずれかは前記デッキプレートのフランジ部の長手方向に沿って延びる長孔形状を有することが好ましい。
【００１１】
また、一端が前記デッキプレートのフランジ部に接続され、他端が前記継手部材に接続される調整部材を更に有し、前記継手部材は、前記調整部材を介して、前記デッキプレートのフランジ部に接続されていることが好ましい。
【００１２】
また、前記他の部材は、構造物の梁又は当該梁を構築する型枠に固定されていることが好ましい。
【００１３】
また、前記他の部材は、平坦なフランジ部を有する第２デッキプレートであり、前記継手部材は、前記他端において、前記第２デッキプレートのフランジ部に接続されていることが好ましい。
【００１４】
また、前記デッキプレートのフランジ部と前記第２デッキプレートのフランジ部の下方に配置された状態で、一端が前記デッキプレートのフランジ部に接続され、他端が前記第２デッキプレートのフランジ部に接続される継手補助部材を更に有し、前記継手部材は、前記継手補助部材と対応する位置において、前記デッキプレートのフランジ部と前記第２デッキプレートのフランジ部とに接続されていることが好ましい。
【００１５】
また、前記継手部材は、本体部から立設する一対の脚部と、該脚部間を繋ぐ橋部とを備えるスペーサを有することが好ましい。
【００１６】
また、前記継手部材は、前記スペーサを複数有し、前記継手部材は、前記複数のスペーサ間を繋ぐ補強部を更に有することが好ましい。
【００１７】
また、本発明に係る第２の態様は、継手部材であって、デッキプレートと支持梁とを接続するとともに、床スラブの一部を構成するコンクリートに埋設される継手部材において、本体部と、前記本体部に形成され、前記デッキプレートと接続される第１接続部と、前記支持梁と接続される第２接続部とを有する。
【００１８】
また、前記本体部から立設する一対の脚部と、該脚部間を繋ぐ橋部と、を備えるスペーサを更に有することが好ましい。
【００１９】
また、本発明に係る第３の態様は、平坦なフランジ部を有するデッキプレートを他の部材に接続するデッキプレートの接続方法であって、前記デッキプレートの上方に継手部材を配置した状態において、前記継手部材の一端と前記デッキプレートのフランジ部とを接続する工程と、前記継手部材の他端と前記他の部材とを接続する工程とを有する。
【００２０】
また、本発明に係る第４の態様は、平坦なフランジ部を有するデッキプレートを支持梁に固定し、前記デッキプレート上にコンクリートを打設する床スラブの施工方法であって、前記デッキプレートの上方に継手部材を配置した状態において、前記継手部材の一端と前記デッキプレートのフランジ部とを接続する工程と、前記継手部材の他端を前記支持梁に接続する工程と、前記継手部材と前記デッキプレートの上にコンクリートを打設する工程と、前記コンクリートが固化した状態において、前記継手部材と前記デッキプレートのフランジ部との接続を解除して前記デッキプレートを取り外す工程とを有する。
【発明の効果】
【００２１】
本発明に係る態様によれば、床スラブ等の施工時の作業性に優れ、施工後にデッキプレートを容易に取り外すことができる。
【図面の簡単な説明】
【００２２】
【図１】第１の実施の形態に係るデッキプレートユニットにおいて、（ａ）継手部材が縦桟木、横桟木及び合板からなる支持梁に接続される構成を表す斜視図であり、（ｂ）継手部材が鉄骨梁に接続される構成を表す斜視図である。
【図２】図１に示すデッキプレートユニットを構成するデッキプレートの構成を表す斜視図である。
【図３】図１に示すデッキプレートユニットを構成する継手部材の構成を表す斜視図である。
【図４】（ａ）支持梁Ｂに固定された継手部材とデッキプレートとを接続する状態を表す側面図であり、（ｂ）支持梁Ｂに固定された継手部材とデッキプレートとを接続する状態を表す側面図であり、（ｃ）継手部材とデッキプレートとが接続された状態を表す側面図である。
【図５】第１の実施の形態の変形例に係るデッキプレートユニットを構成する調整部材の構成を表す斜視図である。
【図６】（ａ）支持梁Ｂに固定された継手部材と、調整部材及びデッキプレートを接続する状態を表す側面図であり、（ｂ）継手部材、調整部材及びデッキプレートが接続された状態を表す側面図である。
【図７】第２実施の形態に係るデッキプレートユニットを構成する継手部材の構成を表す斜視図である。
【図８】継手部材を介して、２つのデッキプレート同士を接続する状態を表す側面図である。
【図９】第２の実施の形態の変形例に係るデッキプレートユニットを構成する継手補助部材の構成を表す斜視図である。
【図１０】継手部材及び継手補助部材を介して、２つのデッキプレート同士を接続する状態を表す側面図である。
【発明を実施するための形態】
【００２３】
本発明の好ましい実施の形態について、図面を参照しながら説明する。なお、以下に示す実施の形態は一つの例示であり、本発明の範囲において、種々の形態をとり得る。
【００２４】
〔第１の実施の形態〕
＜デッキプレートユニットの構成＞
図１〜図３を用いて、第１の実施の形態に係るデッキプレートユニットの構成について説明する。
デッキプレートユニット１は、例えば、床スラブを形成するための型枠として使用されるものであり、ビル等のコンクリート構造物の支持梁Ｂに対して取り付けられる。図１（ａ）に示すように、デッキプレートユニット１は、デッキプレート１０と、継手部材２０とを有する。デッキプレートユニット１は、施工時において、継手部材２０の一端側にデッキプレート１０が接続され、継手部材２０の他端側に支持梁Ｂが接続された状態で使用される。支持梁Ｂは、例えば、縦桟木ｂ１、横桟木ｂ２及び合板ｂ３によって形成されている。支持梁Ｂの構成はこれに限られず、例えば図１（ｂ）に示すように、鉄骨からなる支持梁Ｂによって構成されるなど、各種形状や材質ものが適用されてもよい。
以下では、説明の便宜上、デッキプレート１０の長手方向に沿った方向について「長手方向Ｌ」、デッキプレート１０の幅方向に沿った方向について「幅方向Ｗ」という表現を用いる。
【００２５】
（デッキプレート）
デッキプレート１０は、例えば、フラットデッキと呼ばれるものであり、薄鋼板により形成されている。図２に示すように、デッキプレート１０は、平坦形状のフランジ部１１と、断面が略三角形の中空状のリブ１２とを有している。
フランジ部１１は、幅方向Ｗにおいて隣接するリブ１２間に設けられる。フランジ部１１は、施工時の型枠としてコンクリートからなるスラブの成形面を形成する。フランジ部１１の一端側には、デッキプレート１０の長手方向Ｌに沿って延びる長孔形状の挿通孔１１ａが形成されている。挿通孔１１ａは、フランジ部１１と継手部材２０とを接続する際に使用する連結具（ボルト４２ａ；図４参照）が挿通される。挿通孔１１ａは長孔形状を有しているので、作業者は、デッキプレート１０の長手方向Ｌにおける長さに応じて、フランジ部１１と継手部材２０との接続位置を長手方向Ｌにおいて調整することができる。
リブ１２は、長手方向Ｌに沿って複数配置されている。リブ１２は、フランジ部１１と一体に形成されており、デッキプレート１０の強度を高める。
本実施の形態においては、デッキプレート１０は、リブ１２がフランジ部１１の全長にわたって形成されている構成について説明したがこれに限られない。リブ１２の長手方向における端部が上下に押しつぶされて平坦化された加工（エンドクローズ加工）が施されたデッキプレートが適用されてもよい。
【００２６】
（継手部材）
継手部材２０は、デッキプレート１０と支持梁Ｂとの間に介在し、デッキプレート１０と支持梁Ｂとを接続する。図３に示すように、継手部材２０は、本体部２１と、スペーサ２４と、補強部２５とを有する。継手部材２０は、デッキプレート１０への接続時に、デッキプレート１０の長手方向Ｌに沿った長さが幅方向Ｗに沿った長さよりも短く形成されている。
本体部２１は、略矩形状の平板形状を有し、例えば、薄板鋼板によって形成されている。本体部２１は、第１接続部２２と、第２接続部２３とを有している。
第１接続部２２は、長手方向Ｌにおいて本体部２１の一端側に設けられる。第１接続部２２は、デッキプレート１０のフランジ部１１と接続される。第１接続部２２は、長手方向Ｌに沿って延びる長孔形状の挿通孔２２ａを複数有する。挿通孔２２ａは幅方向Ｗにおいて間隔をあけて形成される。挿通孔２２ａは、フランジ部１１と継手部材２０とを接続する際に、後述する連結具（ボルト４２ａ）が挿通される。挿通孔２２ａは長孔形状を有しているので、作業者は、デッキプレート１０の長手方向Ｌにおける長さに応じて、フランジ部１１と継手部材２０との接続位置を長手方向Ｌにおいて調整することができる。
第２接続部２３は、長手方向Ｌにおいて本体２１の他端側（第１接続部２２と反対側）に設けられる。第２接続部２３は、幅方向Ｗにおいて間隔をあけて形成される円形状の挿通孔２３ａを複数有する。挿通孔２３ａは、継手部材２０と支持梁Ｂとを接続する際に、連結具（釘４１；図４参照）が挿通される。挿通孔２３ａの形状はこれに限られない。挿通孔２３ａは、第１接続部２２の挿通孔２２ａと同様に長孔形状が適用されてもよい。挿通孔２３ａは、第１接続部の挿通孔２２ａと長手方向Ｌに沿った直線上に配置されている。挿通孔２３ａが配置される位置は、これに限られず適宜変更されてもよい。
【００２７】
スペーサ２４は、例えば、棒型鋼（鉄筋）を屈曲加工して形成されたものである。スペーサ２４は、下端筋がデッキプレート１０から浮かせた状態で配筋されるための配筋用部材としての役割を担う。また、スペーサ２４は、長手方向Ｌにおける本体部２１の強度を高める。さらに、スペーサ２４は、施工時において、作業者が継手部材２０を持ち運ぶために用いる持ち手としての役割を担う。スペーサ２４は、本体部２１の上面に立設される一対の立設部２４ａと立設部２４ａの上端部同士を繋ぐ橋部２４ｂとを有する。一対の立設部２４ａの一方は本体部２１の一端部側（第１接続部２２側）に立設されており、一対の立設部２４ａの他方は本体の他端部側（第２接続部２３側）に立設されている。一対の立設部２４ａの基端部は本体部２１に溶接等により接合されている。立設部２４ａと橋部２４ｂとの接続部は、円弧状に湾曲して形成されている。本実施の形態において、スペーサ２４は、幅方向Ｗにおける本体部２１の両端部近傍に２つ形成されているがこれに限られない。スペーサ２４は、本体部２１の強度を向上させるために増設されてもよい。
【００２８】
補強部２５は、例えば、直線状の棒型鋼（鉄筋）によって形成されたものである。補強部２５は、スペーサ２４と同様に、下端筋がデッキプレート１０から浮かせた状態で配筋されるための配筋用部材としての役割を担う。また、補強部２５は、幅方向Ｗにおける本体部２１の強度を高める。補強部２５は、両端部がスペーサ２４の橋部２４ｂと溶接等によって接合されている。補強部２５の両端部は、幅方向Ｗにおいてスペーサ２４の外側に飛び出している。
【００２９】
＜デッキプレートユニットを用いた施工方法＞
図４を用いて、デッキプレートユニット１を用いた床スラブの施工方法について説明する。
まず、図４（ａ）に示すように、継手部材２０の第１接続部２２がデッキプレート１０のフランジ部１１に接続される。具体的には、フランジ部１１が継手部材２０の第１接続部２２の下方に配置される。このときフランジ部１１は、フランジ部１１の挿通孔１１ａと第１接続部２２の挿通孔２２ａが互いに連通するように、第１接続部２２の下方に配置される。フランジ部１１が配置される位置は、長手方向Ｌにおけるデッキプレート１０の長さに応じて、長手方向Ｌに沿って調整される。この状態において、連結具の一部を構成するボルト４２ａが、第１接続部２２の上方から、互いに連通する挿通孔１１ａ、２２ａに挿通される。なお、ボルト４２ａと第１接続部２２との間には、連結具の一部を構成するワッシャ４２ｃが介在されている。フランジ部１１の下方に飛び出した挿通されたボルト４２ａの先端部は、ワッシャ４２ｃを介して、連結具の一部を構成するナット４２ｂによって締結される。これにより、デッキプレート１０と継手部材２０とが接続される。
【００３０】
次に、図４（ｂ）に示すように、継手部材２０の第２接続部２３が支持梁Ｂに接続される。具体的には、支持梁Ｂの横桟木ｂ２上に継手部材２０の第２接続部２３が載置された状態において、連結具を構成する釘４１が、第２接続部２３の上方から第２接続部２３の挿通孔２３ａに挿通されることによって支持梁Ｂの横桟木ｂ２に対して打ち込まれる。これにより、継手部材２０が支持梁Ｂに対して固定される。このようにして、デッキプレートユニット１が支持梁Ｂに接続される。
【００３１】
図４（ｃ）に示すように、デッキプレートユニット１が支持梁Ｂに接合された状態において、デッキプレートユニット１の上面にコンクリートＣが打設される。具体的には、継手部材２０のスペーサ２４及び補強部２５の上方に図示しない鉄筋が配置された状態においてコンクリートＣが打設される。継手部材２０は、スペーサ２４と補強部２５が打設されたコンクリートＣに埋設されることによって、コンクリートＣ（床スラブ）に固定される。
コンクリートＣが固化した状態において、デッキプレート１０と継手部材２０との接続を解除することによって、床スラブの枠型からデッキプレート１０が取り外される。具体的には、デッキプレート１０のフランジ部１１と継手部材２０の第１接続部２２との締結（接続）に使用されたナット４２ｂがボルト４２ａから取り外される。これにより、デッキプレート１０と継手部材２０との接続が解除される。この状態において、作業者は、デッキプレート１０を下方へと引っ張ることにより、床スラブからデッキプレート１０を取り外すことができる。
【００３２】
以上のように、デッキプレート１０と継手部材２０とからなるデッキプレートユニット１を用いることにより、デッキプレート１０が継手部材２０を介して支持梁Ｂに接合される。これにより、デッキプレート１０の上面にコンクリートＣが打設された状態であっても、継手部材２０とデッキプレート１０との接続を解除することにより、床スラブからデッキプレート１０を容易に取り外すことができる。これにより、デッキプレート１０を床スラブを形成するための型枠として再利用することができる。
また、補強部２５が取り付けられたスペーサ２４は、支持梁Ｂに緊結されているので、これらがコンクリートＣに埋設されることによって床スラブと支持梁Ｂとをより強固に一体化させることができる。
【００３３】
〔第１の実施の形態の変形例〕
第１の実施の形態に係るデッキプレートユニット１は、上記構成に限られない。例えば、図５及び図６に示す構成を適用することができる。
変形例に係るデッキプレートユニット１ａは、デッキプレート１０と継手部材２０に加えて、調整部材３０を有する。以下、デッキプレートユニット１と同じ構成については説明を省略する。
【００３４】
調整部材３０は、デッキプレート１０と継手部材２０との間に設けられ、デッキプレート１０と継手部材２０とを接続する中間部材としての役割を担う。例えば、２つの支持梁Ｂ間に取り付けられるデッキプレート１０の長さが支持梁Ｂ間の距離に対して十分ではない場合に、不足するデッキプレート１０の長さ（支持長さ）を補うために使用される。図５に示すように、調整部材３０は、略矩形上の平板形状を有し、例えば、薄板鋼板によって形成されている。調整部材３０は、長手方向Ｌにおける一端側（デッキプレート１０側）に形成される長孔形状の第１挿通孔３０ａと、長手方向Ｌにおける他端側（継手部材２０側）に形成される長孔形状の第２挿通孔３０ｂとを有する。第１挿通孔０３ａと第２挿通孔３０ｂは、デッキプレート１０の長手方向Ｌに沿って延びる長孔形状を有する。第１挿通孔３０ａと第２挿通孔３０ｂは長孔形状を有しているので、作業者は、デッキプレート１０の長手方向Ｌにおける長さに応じて、フランジ部１１と調整部材３０との接続位置及び継手部材１２と調整部材３０との接続位置を長手方向Ｌにおいて調整することができる。
【００３５】
図６（ａ）に示すように、床スラブの施工において、まず継手部材２０の第２接続部２３が支持梁Ｂに接続される。一方、デッキプレート１０は、リブ１２の下端部が支保工Ｓによって支持された状態で固定されている。次に、調整部材３０の一端部がデッキプレート１０のフランジ部１１の上方に配置され、調整部材３０の他端部が継手部材２０の第１接続部２２の下方に配置される。
このとき調整部材３０は、フランジ部１１の挿通孔１１ａと調整部材３０の第１挿通孔３０ａが互いに連通するように、フランジ部１１の上方に配置される。また、調整部材３０は、第１接続部２２の挿通孔２２ａと調整部材３０の第２挿通孔３０ｂが互いに連通するように、第１接続部２２の下方に配置される。この状態において、フランジ部１１と調整部材３０、及び継手部材２０と調整部材３０が連結具（ボルト４２ａ、ナット４２ｂ及びワッシャ４２ｃ）を用いてそれぞれ接続される。連結具による接続方法は上記実施の形態と同じであるため省略する。このようにして、デッキプレートユニット１が支持梁Ｂに接続される。
【００３６】
図６（ｂ）に示すように、デッキプレートユニット１が支持梁Ｂに接続された状態で、デッキプレートユニット１の上面にコンクリートＣが打設される。
コンクリートＣが固化した後、デッキプレート１０を支持する支保工Ｓが取り外されることにより、接続作業が完了する。この状態において、調整部材３０と第１接続部２２とを締結させていたナットの締結状態を解除することによって、床スラブの枠型からデッキプレート１０と調整部材３０が取り外される。
【００３７】
以上のように、デッキプレート１０と継手部材２０との間に調整部材３０を介在させることにより、デッキプレート１０の支持長さの調整が必要な構成においても、施工後（コンクリートＣの打設後）において、床スラブの枠型からデッキプレート１０を容易に取り外すことができる。さらに、調整部材３０を用いることにより、デッキプレート１０を支持するのに不足している長さを補うことができるので、デッキプレート１０の全長を短くすることができる。これによりデッキプレート１０の取り扱いを容易にすることができる。
【００３８】
〔第２の実施の形態〕
＜デッキプレートユニットの構成＞
本発明の第２の実施の形態に係るデッキプレートユニットについて、図７及び図８を用いて説明する。
本実施の形態に係るデッキプレートユニット１００は、第１の実施の形態における支持梁Ｂに代えて他のデッキプレートとの接続に使用される。すなわち、デッキプレートユニット１００は、継手部材を介して、２つのデッキプレート同士を接合する場合に使用される。建設現場において、支持梁Ｂ間の距離によっては、作業者はデッキプレート同士を接続して使用する場合がある。このような場合には、本実施の形態に係るデッキプレートユニット１００が適用される。なお、本実施の形態では、説明の便宜上、デッキプレートユニット１００の一部を構成するデッキプレートを第１のデッキプレート１１０とし、デッキプレートユニット１００に接続される別のデッキプレートを第２のデッキプレート２００とする。
デッキプレートユニット１００は、第１のデッキプレート１１０と継手部材１２０とを有する。デッキプレートユニット１００は、施工時において、継手部材１２０の一端側に第１のデッキプレート１１０が接続され、継手部材１２０の他端側に第２のデッキプレート２００が接続された状態で使用される。第１のデッキプレート１１０及び第２のデッキプレート２００の構成については、第１の実施の形態に係るデッキプレート１０の構成と同じであるため説明を省略する。
【００３９】
（継手部材）
図７に示すように、継手部材１２０は、第１のデッキプレート１１０と第２のデッキプレート２００との間に介在し、第１のデッキプレート１１０と第２のデッキプレート２００とを接続させる。継手部材１２０は、本体部１２１、スペーサ１２４及び補強部１２５を有する。
本体部１２１は、略矩形状の平板形状を有し、例えば、薄板鋼板によって形成されている。本体部１２１は、第１接続部１２２と、第２接続部１２３と、を有する。
第１接続部１２２は、長手方向Ｌにおいて本体部１２１の一端側に設けられる。第１接続部１２２は、第１のデッキプレート１１０のフランジ部１１１と接続される。第１接続部１２２は、幅方向Ｗにおいて間隔をあけて形成される長孔形状の挿通孔１２２ａを複数有する。挿通孔１２２ａは、長手方向Ｌに沿って延びるように形成されている。挿通孔１２２ａは、フランジ部１１１と継手部材１２０とを接続する際に、連結具（ボルト４２ａ）が挿通される。挿通孔１２２ａは長孔形状を有しているので、作業者は、第１のデッキプレート１１０の長手方向Ｌにおける長さに応じて、フランジ部１１１と継手部材１２０との接続位置を長手方向Ｌにおいて調整することができる。
第２接続部１２３は、長手方向Ｌにおいて本体部１２１の他端側に設けられる。第２接続部１２３は、幅方向Ｗにおいて間隔をあけて形成される長孔形状の挿通孔１２３ａを複数有する。挿通孔１２３ａは、長手方向Ｌに沿って延びるように形成されている。挿通孔１２３ａは、後述する第２のデッキプレート２００のフランジ部２０１と継手部材１２０とを接続する際に、連結具（ボルト４２ａ）が挿通される。挿通孔１２３ａは長孔形状を有しているので、作業者は、第２のデッキプレート２００の長手方向Ｌにおける長さに応じて、フランジ部２０１と継手部材１２０との接続位置を長手方向Ｌにおいて調整することができる。第２接続部１２３の挿通孔１２３ａは、第１接続部１２２の挿通孔１２２ａと長手方向Ｌに沿った直線上に配置されている。
【００４０】
スペーサ１２４は、例えば、棒型鋼（鉄筋）を屈曲加工して形成されたものである。スペーサ１２４の役割については、第１の実施の形態に係るスペーサと同じであるため説明を省略する。スペーサ１２４は、本体１２１の上面に立設される一対の立設部１２４ａと立設部１２４ａの上端部同士を繋ぐ橋部１２４ｂとを有する。一対の立設部１２４ａの一方は本体部１２１の一端部側（第１接続部１２２側）に立設されており、一対の立設部１２４ａの他方は本体部１２１の他端部側（第２接続部１２３側）に立設されている。一対の立設部１２４ａの基端部は本体部１２１に溶接等により接合されている。立設部１２４ａと橋部１２４ｂとの接続部は、円弧状に湾曲して形成されている。本実施の形態において、スペーサ１２４は、幅方向Ｗにおける本体部１２１の両端部と幅方向Ｗにおいて隣接する挿通孔１２２ａ，１２３ａの間の位置に合わせて４つ形成されている。スペーサ１２４は、本体部１２１の強度を適宜調整するために設置数が変更されてよい。
【００４１】
補強部１２５は、例えば、直線状の棒型鋼（鉄筋）によって形成されたものである。補強部１２５の役割については、第１の実施の形態に係る補強部と同じであるため説明を省略する。補強部１２５は、スペーサ１２４の橋部１２４ｂと溶接等によって接合されている。補強部１２５の両端部は、幅方向Ｗにおいてスペーサ１２４の外側に飛び出している。
【００４２】
＜デッキプレートユニットを用いた接合方法＞
図８を用いて、デッキプレートユニット１００を用いた２つのデッキプレート同士の接合方法について説明する。
図８に示すように、第１のデッキプレート１１０と第２のデッキプレート２００が間をあけて突き合わせた状態で配置される。このとき、第１のデッキプレート１１０と第２のデッキプレート２００は、それぞれのリブ１１２，２０２の端部が支保工Ｓによって支持された状態で固定されている。
この状態において、第１のデッキプレート１１０と第２のデッキプレート２００の上方に継手部材１２０が配置される。具体的には、第１のデッキプレート１１０のフランジ部１１１の上方に継手部材１２０の第１接続部１２２が配置されるとともに、第２のデッキプレート２００のフランジ部２０１の上方に継手部材１２０の第２接続部１２３が配置される。この状態において、第１のデッキプレート１１０のフランジ部１１１の挿通孔１１１ａと継手部材１２０の第１接続部１２２の挿通孔１２２ａとが互いに連通する。また、第２のデッキプレート２００のフランジ部２０１の挿通孔２０１ａと継手部材１２０の第２接続部１２３の挿通孔１２３ａとが互いに連通する。
【００４３】
上記状態において、ボルト４２ａが、第１接続部１２２の上方から、ワッシャ４２ｃを介して、互いに連通する挿通孔１１１ａ、挿通孔１２２ａに挿通される。また、別のボルト４２ａが、第２接続部１２３の上方から、ワッシャ４２ｃを介して、互いに連通する挿通孔２０１ａ、挿通孔１２３ａに挿通される。各デッキプレート１１０，２００のフランジ部１１１，２０１の下方に飛び出した挿通されたボルト４２ａの先端部は、ワッシャ４２ｃを介して、ナット４２ｂによって締結される。これにより、継手部材１２０が第１のデッキプレート１１０及び第２のデッキプレート２００に接続される。このようにして、継手部材１２０を介して、２つのデッキプレート１１０，２００同士が接続される。
【００４４】
床スラブ等を構築する際には、上記接合体の上面にコンクリート（図示しない）が打設される。床スラブが構築される方法は第１の実施の形態と同じであるため省略する。
コンクリートが固化した後、コンクリート中に一部が埋設された継手部材１２０は構造体に固定される。この状態において、各デッキプレート１１０，２００を支持する支保工Ｓが取り外されることにより、接続作業が完了する。必要に応じて、第１のデッキプレート１１０と第２のデッキプレート２００は、継手部材１２０との接続が解除されることにより、取り外されてもよい。この場合、第１のデッキプレート１１０のフランジ部１１１と継手部材１２０の第１接続部１２２との締結（接続）に使用されたナット４２ｂがボルト４２ａから取り外される。これにより、第１のデッキプレート１１０と継手部材１２０との接続が解除される。この状態において、作業者は、第１のデッキプレート１１０を下方へと引っ張ることにより、床スラブの枠型から第１のデッキプレート１１０を取り外すことができる。一方、第２のデッキプレート２００のフランジ部２０１と継手部材１２０の第２接続部１２３との締結（接続）に使用されたナット４２ｂがボルト４２ａから取り外される。これにより、第２のデッキプレート２００と継手部材１２０との接続が解除される。作業者は、第２のデッキプレート２００を下方へと引っ張ることにより、床スラブの型枠から第２のデッキプレート２００を取り外すことができる。
なお、第１のデッキプレート１１０と第２のデッキプレート２００は、継手部材１２０との接続が解除されることなく、接合された状態であってもよい。
【００４５】
以上のように、第１のデッキプレート１１０と継手部材１２０とからなるデッキプレートユニット１００を用いることにより、継手部材１２０を介して２つのデッキプレート１１０，２００同士が接続される。通常、デッキプレート同士が接合されるためには、デッキプレートの端部がエンドクローズ加工されている必要がある。エンドクローズ加工されたデッキプレートの端部はそれ以外の部分と比較して剛性に劣る。しかし、本実施の形態に係る態様によれば、デッキプレート１１０，２００のフランジ部１１１，２０１の上面において継手部材１２０を介して、デッキプレート１１０，２００同士が接合される。このため、剛性低下を招くエンドクローズ加工が不要となり、デッキプレート同士の接続部分の強度を向上させることができる。さらに、デッキプレート同士の接続においてエンドクローズ加工が施されていないデッキプレートが使用できるので、施工現場において対応可能な支持スパンを拡大することができる。なお、本実施の形態に係る発明は、デッキプレートの端部がエンドクローズ加工されたデッキプレートユニットに適用されてもよい。
【００４６】
〔第２の実施の形態の変形例〕
第２の実施の形態に係るデッキプレートユニット１００は、上記構成に限られない。例えば、図９及び図１０に示す構成を適用することができる。
変形例に係るデッキプレートユニット１００ａは、第１のデッキプレート１１０と継手部材１２０に加えて、継手補助部材１３０を有する。
継手補助部材１３０は、継手部材１２０とともに、第１のデッキプレート１１０と第２のデッキプレート２００とを接続する。継手補助部材１３０は、継手部材１２０によって接続されたデッキプレート１１０，２００同士の接続部分の強度を高める。図９に示すように、継手補助部材１３０は、平坦形状を有する平坦部１３１と、平坦部１３１から下方に向けて凹むように形成されるリブ収容部１３４とを有する。
【００４７】
平坦部１３１は、長手方向Ｌにおける平坦部１３１の一端側に設けられる第１接続部１３２と、長手方向Ｌにおける平坦部１３１の他端側に設けられる第２接続部１３３と、を有する。
第１接続部１３２は、長手方向Ｌに沿って延びる長孔形状の挿通孔１３２ａを有する。第２接続部１３３は、長手方向Ｌに沿って挿通孔１３２ａと同じ方向に延びる長孔形状の挿通孔１３３ａを有する。リブ収容部１３４は、平坦部１３１に対して略垂直に形成される一対の側壁１３４ａと、側壁１３４ａの下端同士を繋ぐ底壁１３４ｂとを有する。リブ収容部１３４は、幅方向Ｗにおいて隣接する平坦部１３１間にそれぞれ形成されている。リブ収容部１３４の側壁１３４ａの高さ（長手方向Ｌ及び幅方向Ｗに対して垂直な方向における長さ）は、第１のデッキプレート１１０のリブ１１２及び第２のデッキプレート２００のリブ２０２の高さと略同じ又は当該高さより大きく設定されている。リブ収容部１３４の底壁１３４ｂの幅（幅方向Ｗにおける長さ）は、第１のデッキプレート１１０のリブ１１２及び第２のデッキプレート２００のリブ２０２の幅と略同じ又は当該幅よりも大きく設定されている。すなわち、リブ収容部１３４は、第１のデッキプレート１１０及び第２のデッキプレート２００と継手補助部材１３０とが接続された状態において、両デッキプレート１１０，２００のリブ１１２，２０２の端部を収容する（覆う）ことができるように設計されている。
【００４８】
第１のデッキプレート１１０と第２のデッキプレート２００との接続方法について説明する。図１０に示すように、継手部材１２０は、長手方向Ｌにおいて間をあけて突き合わせた状態の第１のデッキプレート１１０と第２のデッキプレート２００の上方に配置される。一方、継手補助部材１３０は、上記状態において、第１のデッキプレート１１０と第２のデッキプレート２００の下方に配置される。この状態において、第１のデッキプレート１１０のフランジ部１１１の挿通孔１１１ａ、継手部材１２０の第１接続部１２２の挿通孔１２２ａ及び継手補助部材１３０の第１接続部１３２の挿通孔１３２ａが互いに連通する。また、第２のデッキプレート２００のフランジ部２０１の挿通孔２０１ａ、継手部材１２０の第２接続部１２３の挿通孔１２３ａ及び継手補助部材１３０の第２接続部１３３の挿通孔１３３ａが互いに連通する。また、この状態において、第１のデッキプレート１１０のリブ１１２の端部と、第２のデッキプレート２００のリブ２０２の端部は、継手補助部材１３０の収容部１３４に収容される。
【００４９】
上記状態において、ボルト４２ａが、ワッシャ４２ｃを介して、継手部材１２０の第１接続部１２２の上方から、互いに連通する挿通孔１２２ａ，１１１ａ，１３２ａに挿通される。また、別のボルト４２ａが、ワッシャ４２ｃを介して、継手部材１２０の第２接続部１２３の上方から、互いに連通する挿通孔１２３ａ，２０１ａ，１３３ａに挿通される。継手補助部材１３０の下方に飛び出したボルト４２ａの先端部は、ワッシャ４２ｃを介して、ナット４２ｂによって締結される。これにより、継手部材１２０及び継手補助部材１３０が第１のデッキプレート１１０及び第２のデッキプレート２００に接続される。このようにして、継手部材１２０及び継手補助部材１３０により、２つのデッキプレート１１０，２００を挟み込んだ状態で、デッキプレート１１０，２００同士が接続される。
床スラブを構築する際には、上記接続構造体の上面にコンクリート（図示しない）が打設される。床スラブが構築される方法は上記実施の形態と同じであるため省略する。
【００５０】
コンクリートが固化した後、コンクリート中に一部が埋設された継手部材１２０はコンクリート（床スラブ）に固定される。この状態において、必要に応じて、第１のデッキプレート１１０と第２のデッキプレート２００は、継手部材１２０及び継手補助部材１３０との接続が解除されることにより、取り外されてもよい。この場合、第１のデッキプレート１１０のフランジ部１１１、継手部材１２０の第１接続部１２２及び継手補助部材１３０の第１接続部１３２との締結（接続）に使用されたナット４２ｂがボルト４２ａから取り外される。これにより、第１のデッキプレート１１０、継手部材１２０及び継手補助部材１３０の接続が解除される。一方、第２のデッキプレート２００のフランジ部２０１、継手部材１２０の第２接続部１２３及び継手補助部材１３０の第２接続部１３３との締結（接続）に使用されたナット４２ｂがボルト４２ａから取り外される。これにより、第２のデッキプレート２００、継手部材１２０及び継手補助部材１３０の接続が解除される。この状態において、作業者は、継手補助部材１３０とともに、第１のデッキプレート１１０と第２のデッキプレート２００を下方へと引っ張ることにより、床スラブの枠型から両デッキプレート１１０，２００が容易に取り外すことができる。
なお、第１のデッキプレート１１０と第２のデッキプレート２００は、継手部材１２０及び継手補助部材１３０との接続が解除されることなく、接続された状態であってもよい。
なお、上記変形例においては、継手補助部材１３０のリブ収容部１３４は、デッキプレート１１０，２００のリブ１１２，２０２を１つずつ収容する例について説明したがこれに限られない。例えば、継手補助部材１３０のリブ収容部１３４は、デッキプレート１１０，２００の複数のリブ１１２，２０２を包括的に収容する形態が適用されてもよい。
【００５１】
上記実施の形態においては、デッキプレートユニット１，１ａ，１００，１００ａが、床スラブの施工に使用される例を挙げて説明したがこれに限られない。デッキプレートユニット１，１ａ，１００，１００ａは、デッキプレートが使用される施工現場等において、いかなる用途に適用されてもよい。デッキプレートユニットは、例えば、建設現場において、デッキプレートが作業者の足場として利用される場合において適用されてもよい。
また、上記実施の形態においては、デッキプレートとして、フラット型のデッキプレートを例に挙げて説明したがこれに限られない。デッキプレートとしては、種々の形態を有するものが適用されてもよい。
【符号の説明】
【００５２】
１，１ａ  デッキプレートユニット
１０  デッキプレート
１１  フランジ部
１１ａ  挿通孔
１２  リブ
２０  継手部材
２１  本体
２２  第１接続部
２２ａ  挿通孔
２３  第２接続部
２３ａ  挿通孔
２４  スペーサ
２４ａ  立設部
２４ｂ  橋部
２５  補強部
３０  調整部材
３０ａ  第１挿通孔
３０ｂ  第２挿通孔
１００，１００ａ  デッキプレートユニット
１１０  第１のデッキプレート
１１１  フランジ部
１１１ａ  挿通孔
１１２  リブ
１２０  継手部材
１２１  本体
１２２  第１接続部
１２２ａ  挿通孔
１２３  第２接続部
１２３ａ  挿通孔
１２４  スペーサ
１２４ａ  立設部
１２４ｂ  橋部
１２５  補強部
１３０  継手補助部材
１３１  平坦部
１３２  第１接続部
１３２ａ  挿通孔
１３３  第２接続部
１３３ａ  挿通孔
１３４  リブ収容部
２００  第２のデッキプレート
２０１  フランジ部
２０１ａ  挿通孔
２０２  リブ
Ｂ  支持梁
ｂ１  縦桟木
ｂ２  横桟木
ｂ３  合板
Ｓ  支保工
【図１】
2020159155.tif 000003
【図２】
2020159155.tif 000004
【図３】
2020159155.tif 000005
【図４】
2020159155.tif 000006
【図５】
2020159155.tif 000007
【図６】
2020159155.tif 000008
【図７】
2020159155.tif 000009
【図８】
2020159155.tif 000010
【図９】
2020159155.tif 000011
【図１０】
2020159155.tif 000012